(57)【要約】      （修正有）【課題】非常呼び釦の誤操作を防止する釦カバーの操作性および堅牢性の向上を図ることのできるエレベータ用かご内操作盤の提供。【解決手段】非常時に操作され、外部との接続を行う接続信号を出力する非常呼び釦４の手前に配置されるとともに、非常呼び釦４と略同一の投影形状を有する釦カバー７と、釦カバー７の下方両側から突出して設けられる軸体８と、非常呼び釦４の両側に沿うように操作盤カバーに対として設けられ、かつ所定の高さ寸法を有し、軸体８を上下方向に移動可能に支持する案内ガード９とを備え、非常呼び釦４の誤操作を防止する釦カバー７の開放を単純な上方向へのスライドにより行うようにし、誤操作防止の機能を保持しつつ操作性の向上を図るとともに、釦カバー７に強度を持たせることを可能としたものである。【選択図】図１
2008150199.tif 000002
【特許請求の範囲】
【請求項１】
非常時に操作され、外部との接続を行う接続信号を出力する非常呼び釦と、乗かごの行先階登録を行う行先階登録信号を出力する階床釦と、エレベータのドアを開閉させる開閉信号を出力する開閉釦と、これらの釦を固定する操作盤カバーとを有するエレベータ用かご内操作盤において、
前記非常呼び釦の手前に配置されるとともに、前記非常呼び釦と略同一の投影形状を有する釦カバーと、前記釦カバーの下方両側から突出して設けられる軸体と、前記非常呼び釦の両側に沿うように前記操作盤カバーに対として設けられ、かつ所定の高さ寸法を有し、前記軸体を上下方向に移動可能に支持する案内ガードとを備えたことを特徴とするエレベータ用かご内操作盤。
【発明の詳細な説明】
【技術分野】
【０００１】
本発明は、エレベータ用かご内操作盤に係り、特に、非常時に外部との接続を行うための非常呼び釦の誤操作を防止するのに好適なエレベータ用かご内操作盤に関するものである。
【背景技術】
【０００２】
エレベータの乗かごには前側板に設置されるかご内操作盤が備えられており、このかご内操作盤には、非常時に操作され、外部との接続を行う接続信号を出力する非常呼び釦、乗かごの行先階登録を行う行先階登録信号を出力する階床釦、およびエレベータのドアを開閉させる開閉信号を出力する開閉釦等が設けられている。そして、前述した非常呼び釦が誤操作されると不必要に外部との接続が行われ、外部の監視業務に支障をきたすことから、非常呼び釦の誤操作を防止するために、従来、非常呼び釦の所定寸法前方に薄膜体、例えばビニールフィルムを配置し、この薄膜体で非常呼び釦の押圧を抑制するようにしたものが提案されている（例えば、特許文献１参照）。
【特許文献１】特開平１１−７９５７９号公報（段落番号０００９〜００１３、図１）
【発明の開示】
【発明が解決しようとする課題】
【０００３】
しかしながら、前述した従来のものは、非常呼び釦の操作するために比較的強い力を薄膜体に加える必要があることから、例えば指先の不自由なエレベータ利用者が操作できない可能性があり、安全性の点で問題があった。また、非常呼び釦の操作の際に薄膜体の張力を超えて押圧するものであることから、非常呼び釦の操作に応じて薄膜体が破断、或いは伸長し、したがって、度々、薄膜体を交換する必要が生じるという問題があった。さらに、薄膜体に強度を持たせることが構造上難しいことから、いたずらにより鍵等の尖鋭なもので薄膜体自体に傷が付けられ、非常呼び釦の押圧を抑制するという本来の機能を発揮する点で支障を来たす恐れがあった。
【０００４】
本発明は、前述した従来技術における実状からなされたもので、その目的は、非常呼び釦の誤操作を防止する釦カバーの操作性および堅牢性の向上を図ることのできるエレベータ用かご内操作盤を提供することにある。
【課題を解決するための手段】
【０００５】
前記目的を達成するために、本発明は、非常時に操作され、外部との接続を行う接続信号を出力する非常呼び釦と、乗かごの行先階登録を行う行先階登録信号を出力する階床釦と、エレベータのドアを開閉させる開閉信号を出力する開閉釦と、これらの釦を固定する操作盤カバーとを有するエレベータ用かご内操作盤において、前記非常呼び釦の手前に配置されるとともに、前記非常呼び釦と略同一の投影形状を有する釦カバーと、前記釦カバーの下方両側から突出して設けられる軸体と、前記非常呼び釦の両側に沿うように前記操作盤カバーに対として設けられ、かつ所定の高さ寸法を有し、前記軸体を上下方向に移動可能に支持する案内ガードとを備えたことを特徴としている。
【０００６】
このように構成した本発明は、乗かご内で非常事態が発生し外部と連絡をとる場合、エレベータ利用者は釦カバーに上方向の力を加える。これに応じて軸体が案内ガードに沿って移動し、釦カバーは開放位置まで案内される。この状態で非常呼び釦を操作する。このように、釦カバーの開放は単純な上方向へのスライドにより行われるため、非常時であっても容易に開放することができる。また、非常呼び釦の操作後、釦カバーから手を離すと自重でもとの位置に戻り、非常呼び釦を覆う構造であることから、誤操作防止の機能を確実に果たすことができる。さらに、釦カバーに強度を持たせることが可能であることから、頻繁に釦カバーに係る保守を行う必要がないとともに、いたずら等による破損の可能性を低減することができる。さらにまた、非常呼び釦の両側に配置される案内ガードは所定の高さ寸法を有していることから、横方向から不用意に加えられる力から釦カバーおよび非常呼び釦を保護し、誤操作防止機能をさらに高めることができる。
【発明の効果】
【０００７】
本発明によれば、非常呼び釦の誤操作を防止する釦カバーの開放は単純な上方向へのスライドにより行われることから、誤操作防止の機能を保持しつつ操作性の向上を図り、特に、指先の不自由なエレベータ利用者であっても必要時に非常呼び釦を確実に操作することができる。また、釦カバーに強度を持たせることが可能であることから、頻繁に釦カバーに係る保守を行う必要がないとともに、いたずら等による破損の可能性を低減することができる。
【発明を実施するための最良の形態】
【０００８】
以下、本発明に係るエレベータ用かご内操作盤の実施の形態を図に基づいて説明する。
【０００９】
図１は本発明に係るエレベータ用かご内操作盤の一実施形態を示す要部拡大正面図、図２は図１のエレベータ用かご内操作盤の要部拡大側面図、図３は図１のエレベータ用かご内操作盤の正面図、図４はエレベータ用かご内操作盤が取り付けられる乗かごの概略構成図である。
【００１０】
エレベータの乗かご１には図４に示すように、乗かご１の前側板１ａに設置されるかご内操作盤２と、このかご内操作盤２の下部に設けられ、保守作業時に操作されるスイッチを収納するスイッチボックス２ａとが備えられるとともに、かご内操作盤２は図３に示すように、非常時に操作され、外部との接続を行う接続信号を出力する非常呼び釦４と、乗かご１の行先階登録を行う行先階登録信号を出力する階床釦５と、エレベータのドアを開閉させる開閉信号を出力する開閉釦６と、釦４〜６を固定するための操作盤カバー３とから成っている。
【００１１】
そして、本実施形態のエレベータ用かご内操作盤２には図１および図２に示すように、非常呼び釦４の手前に配置されるとともに、非常呼び釦４と略同一の投影形状を有する釦カバー７と、釦カバー７の下方両側から突出して設けられる軸体８と、非常呼び釦４の両側に沿うように操作盤カバー３に対として設けられ、かつ所定の高さ寸法ｈを有し、軸体８を上下方向に移動可能に支持する案内ガード９とを備えている。また、釦カバー７は、釦カバー７と一体的に設けられる軸体８が案内ガード９に係合することによって所定位置に支持されている。また、案内ガード９は、上下方向に延設される凹部９ａを有しており、この凹部９ａは、通常運転時に軸体８がその下端に位置し、釦カバー７が非常呼び釦４を覆うように、また、非常呼び釦４の操作時には軸体８がその上端に位置し、非常呼び釦４が操作できる位置で釦カバー７が止まるように上下方向の長さ寸法が設定されている。
【００１２】
本実施形態にあっては、乗かご１内で非常事態が発生し外部と連絡をとるために非常呼び釦４を操作する場合、まず、エレベータ利用者は釦カバー７を上方向に変位させる。例えば指により釦カバー７を正面から押圧しつつ上方向に力を加え、釦カバーを上方向に変位させる。このとき軸体８は案内ガード９の凹部９ａに沿って移動することで釦カバー７を開放位置まで案内し、かつ凹部９ａの上端に当接することで釦カバー７を所定の高さ位置、すなわち開放位置で止める。次いで、エレベータ利用者は釦カバー７の開放状態を保持しつつ非常呼び釦４を操作する。この後、エレベータ利用者が釦カバー７から手を離すと、釦カバー７は案内ガード９に案内されつつ自重で降下し、軸体８が凹部９ａの下端に当接することで通常位置、すなわち非常呼び釦４を覆う位置で保持される。
【００１３】
本実施形態によれば、非常呼び釦４の誤操作を防止する釦カバー７の開放は単純な上方向へのスライドにより行われることから、誤操作防止の機能を保持しつつ操作性の向上を図り、特に、指先の不自由なエレベータ利用者であっても必要時に非常呼び釦を確実に操作することができる。また、釦カバー７に強度を持たせることが可能であることから、頻繁に釦カバー７に係る保守を行う必要がないとともに、いたずら等による破損の可能性を低減することができる。さらに、非常呼び釦４の両側に配置される案内ガード９は所定の高さ寸法ｈを有していることから、横方向から不用意に加えられる力から釦カバー７および非常呼び釦４を保護し、誤操作防止機能をさらに高めることができる。さらにまた、釦カバー７は非常呼び釦４と略同一の投影形状を有することから、かご内操作盤２の意匠性を損なうことなく非常呼び釦４の誤操作防止の役割を果たすことができる。
【図面の簡単な説明】
【００１４】
【図１】本発明に係るエレベータ用かご内操作盤の一実施形態を示す要部拡大正面図である。
【図２】図１のエレベータ用かご内操作盤の要部拡大側面図である。
【図３】図１のエレベータ用かご内操作盤の正面図である。
【図４】エレベータ用かご内操作盤が取り付けられる乗かごの概略構成図である。
【符号の説明】
【００１５】
１  乗かご
２  かご内操作盤
２ａ  スイッチボックス
３  操作盤カバー
４  非常呼び釦
５  階床釦
６  開閉釦
７  釦カバー
８  軸体
９  案内ガード
９ａ  凹部
【図１】
2008150199.tif 000003
【図２】
2008150199.tif 000004
【図３】
2008150199.tif 000005
【図４】
2008150199.tif 000006